(57)【要約】【課題】消費電力を抑えることができる。【解決手段】無線基地局装置は、自装置が省電力モードの場合に休止状態になる。無線基地局装置は、自装置の状態を示す基地局モード情報を含むビーコン信号を送信する。基地局モード情報は、自装置が省電力モードであることを示す情報である。無線端末装置は、基地局モード情報に基づいて、自装置の状態を決定する。【選択図】図１
2013026965.tif 000002
【特許請求の範囲】
【請求項１】
自装置が省電力モードの場合に、休止状態になる通信部と、
自装置の状態を示す基地局モード情報を含むビーコン信号を送信する送信部と、
を備え、
前記基地局モード情報は、自装置が省電力モードであることを示す情報であることを特徴とする無線基地局装置。
【請求項２】
無線端末装置の状態を示す端末状態情報を管理する端末管理部と、
前記端末状態情報がすべての無線端末装置の状態が省電力モードであることを示す場合に、自装置の状態を省電力モードに決定する制御部と、
を備えることを特徴とする請求項１に記載の無線基地局装置。
【請求項３】
無線基地局装置の状態を示す基地局モード情報を含むビーコン信号を受信する受信部と、
前記基地局モード情報に基づいて、自装置の状態を決定する制御部と、
を備えることを特徴とする無線端末装置。
【請求項４】
無線端末装置が、無線基地局装置の状態を示す基地局モード情報を含むビーコン信号を受信する過程と、
無線端末装置が、前記基地局モード情報に基づいて、自装置の状態を決定する過程と、
を有することを特徴とする通信制御方法。
【請求項５】
無線端末装置のコンピュータに、
無線基地局装置の状態を示す基地局モード情報を含むビーコン信号を受信する手段、
前記基地局モード情報に基づいて、自装置の状態を決定する手段、
を実行させるための通信制御プログラム。
【発明の詳細な説明】
【技術分野】
【０００１】
本発明は、無線基地局装置、無線端末装置、通信制御方法、及び通信制御プログラムに関する。
【背景技術】
【０００２】
無線端末装置には、アウェイク状態とスリープ状態を周期的に繰り返す省電力モードがある。無線基地局装置については、特許文献１記載の技術が知られている。
図１８は、従来技術に係る間欠通信を説明するための説明図である。 
無線基地局装置ＡＰは、ＤＴＩＭ（ｄｅｌｉｖｅｒｙ  ｔｒａｆｆｉｃ  ｉｎｄｉｃａｔｉｏｎ  ｍｅｓｓａｇｅ）ビーコン信号ｓ１１１の送信後に、無線端末装置ＳＴＡの送信を禁止する制御信号ｓ１２１を送信する。無線基地局ＡＰのスリープ期間が送信禁止期間の上限よりも長い場合には、無線基地局装置ＡＰのスリープ期間を分割し、分割した基地局スリープ期間ごとに制御信号ｓ１２２を送信する。無線基地局装置ＡＰは、スリープ期間にスリープ状態に移行し、スリープ期間の経過後にアウェイク状態に移行する。無線端末装置ＳＴＡは、制御信号ｓ１２１、ｓ１２２に付加された送信禁止期間では、送信信号が発生しても送信せずに待機する。
【先行技術文献】
【特許文献】
【０００３】
【特許文献１】特開２０１０−１９３２９０号公報
【発明の概要】
【発明が解決しようとする課題】
【０００４】
しかしながら、従来技術に係る通信では、無線基地局装置は、ビーコン信号に加えて制御信号を送信する。無線端末装置は、制御信号を受信するまでアウェイク状態になっており、電力を浪費するという欠点があった。
【０００５】
本発明は上記の点に鑑みてなされたものであり、消費電力を抑えることができる無線基地局装置、無線端末装置、通信制御方法、及び通信制御プログラムを提供する。
【課題を解決するための手段】
【０００６】
（１）また、本発明の一態様は、上記の無線基地局装置において、自装置が省電力モードの場合に、休止状態になる通信部と、自装置の状態を示す基地局モード情報を含むビーコン信号を送信する送信部と、を備え、前記基地局モード情報は、自装置が省電力モードであることを示す情報であることを特徴とする。
【０００７】
（２）また、本発明の一態様は、上記の無線基地局装置において、無線端末装置の状態を示す端末状態情報を管理する端末管理部と、前記端末状態情報がすべての無線端末装置の状態が省電力モードであることを示す場合に、自装置の状態を省電力モードに決定する制御部と、を備えることを特徴とする。
【０００８】
（３）また、本発明の一態様は、無線基地局装置の状態を示す基地局モード情報を含むビーコン信号を受信する受信部と、前記基地局モード情報に基づいて、自装置の状態を決定する制御部と、を備えることを特徴とする無線端末装置である。
【０００９】
（４）また、本発明の一態様は、無線端末装置が、無線基地局装置の状態を示す基地局モード情報を含むビーコン信号を受信する過程と、無線端末装置が、前記基地局モード情報に基づいて、自装置の状態を決定する過程と、を有することを特徴とする通信制御方法である。
【００１０】
（５）また、本発明の一態様は、無線端末装置のコンピュータに、無線基地局装置の状態を示す基地局モード情報を含むビーコン信号を受信する手段、前記基地局モード情報に基づいて、自装置の状態を決定する手段、を実行させるための通信制御プログラムである。
【発明の効果】
【００１１】
本発明によれば、消費電力を抑えることができる。
【図面の簡単な説明】
【００１２】
【図１】本発明の実施形態に係る間欠通信と各装置の状態の一例を説明するための説明図である。
【図２】本発明の第１の実施形態に係る無線通信システムを示す概略図である。
【図３】本実施形態に係る無線基地局装置の構成を示す概略ブロック図である。
【図４】本実施形態に係る無線端末装置の構成を示す概略ブロック図である。
【図５】本実施形態に係るビーコン信号のフレーム構成の一例を示す概略図である。
【図６】本実施形態に係る無線基地局装置の動作の一例を示すフローチャートである。
【図７】本実施形態に係るＳＴＡ管理部の動作の一例を示すフローチャートである。
【図８】本実施形態に係る無線端末装置の動作の一例を示すフローチャートである。
【図９】本実施形態に係る間欠通信と無線基地局装置の状態との関係の一例を示す概略図である。
【図１０】本実施形態に係る間欠通信と各装置の状態との関係の一例を示す概略図である。
【図１１】本発明の第２の実施形態に係る無線通信システムを示す概略図である。
【図１２】本実施形態に係る無線基地局装置の構成を示す概略ブロック図である。
【図１３】本実施形態に係る無線基地局装置の動作の一例を示すフローチャートである。
【図１４】本発明の第３の実施形態に係る無線通信システムを示す概略図である。
【図１５】本実施形態に係る無線基地局装置の構成を示す概略ブロック図である。
【図１６】本実施形態に係る無線基地局装置の動作の一例を示すフローチャートである。
【図１７】本実施形態に係る無線端末装置の別の動作の一例を示すフローチャートである。
【図１８】従来技術に係る間欠通信を説明するための説明図である。
【発明を実施するための形態】
【００１３】
以下、図面を参照しながら本発明の実施形態について詳しく説明する。
図１は、本発明の実施形態に係る間欠通信と各装置の状態の一例を説明するための説明図である。ここで、間欠通信とは、無線基地局装置ＡＰ又は無線端末装置ＳＴＡのいずれか或いは両方が、アウェイク状態とスリープ状態とを繰り返す通信をいう。この図において、横軸は時間軸である。
【００１４】
符号Ｓ１１１、Ｓ１１２を付した信号は、無線基地局装置ＡＰが送信したビーコン信号Ｓ１１１、Ｓ１１２である。このビーコン信号Ｓ１１１、Ｓ１１２には、無線基地局装置ＡＰの状態を示すＡＰ状態情報が含まれている。例えば、ＡＰ状態情報は、無線基地局装置ＡＰのモードを示す情報、及び無線基地局装置ＡＰがアウェイク（Ａｗａｋｅ）状態の期間（符号Ａ１１を付した状態の期間；起動時間（アウェイク期間））を示す情報、若しくはスリープ（Ｓｌｅｅｐ）状態の期間（符号Ａ１２を付した状態の期間；スリープ期間）を示す情報が含まれている。例えば、無線基地局装置ＡＰは、ＡＰ状態情報が示すスリープ期間に、信号の送受信を停止するスリープ状態となる。なお、ビーコン信号とは、無線標識であり、無線基地局装置ＡＰが予め定めた周期で送信する信号である。
【００１５】
符号Ｒ１１１、Ｒ１１２を付した信号は、無線端末装置ＳＴＡが受信したビーコン信号Ｒ１１１、Ｒ１１２であり、それぞれ、ビーコン信号Ｓ１１１、Ｓ１１２の受信信号である。無線端末装置ＳＴＡは、ビーコン信号Ｒ１１１、Ｒ１１２を受信した後、ビーコン信号Ｒ１１１、Ｒ１１２に含まれるＡＰ状態情報に基づいて、自装置の状態や、信号の送受信を制御する。
【００１６】
（第１の実施形態）
以下、図面を参照しながら本発明の第１の実施形態について詳しく説明する。
図２は、本発明の第１の実施形態に係る無線通信システム１を示す概略図である。この図において、無線通信システム１は、無線基地局装置ＡＰ１、及び、無線端末装置ＳＴＡ１１、ＳＴＡ１２（無線端末装置各々をＳＴＡ１とも称する）を具備する。
【００１７】
＜無線基地局装置ＡＰ１の構成について＞
図３は、本実施形態に係る無線基地局装置ＡＰ１の構成を示す概略ブロック図である。この図において、無線基地局装置ＡＰ１は、無線制御装置ａ１及び送受信部ａ１１を含んで構成される。無線制御装置ａ１は、ＳＴＡ管理部ａ１０１、制御部ａ１０２、Ｓｔａｔｅフレーム管理部ａ１０３、送受信制御部ａ１０４、ビーコン送信制御部ａ１０５、バッファ監視部ａ１０７、及び送信バッファａ１０８を含んで構成される。なお、無線基地局装置ＡＰ１は、その他、基地局装置が有する一般的で公知な機能を備える。
【００１８】
ＳＴＡ管理部ａ１０１は、制御部ａ１０２から入力されたＳＴＡ状態情報を記憶する。ここで、ＳＴＡ状態情報は、無線端末装置ＳＴＡ１各々の状態を示す情報である。
制御部ａ１０２は、無線制御装置ａ１の各部を制御する。例えば、制御部ａ１０２は、無線端末装置ＳＴＡ１各々から送信されたＳＴＡ状態情報（例えば、パワーマネージメントビット）を、送受信部ａ１１を介して受信する。制御部ａ１０２は、受信したＳＴＡ状態情報を、ＳＴＡ管理部ａ１０１へ出力する。
また例えば、制御部ａ１０２は、ＳＴＡ管理部ａ１０１が記憶するＳＴＡ状態情報に基づいて、無線基地局装置ＡＰ１のモード（活動（Ａｃｔｉｖｅ）モード又は省電力（Ｐｏｗｅｒ  Ｓａｖｅ）モード）を決定する（決定したモードをＡＰモードとも称する）。制御部ａ１０２は、決定したＡＰモードを示すＡＰモード情報を、Ｓｔａｔｅフレーム管理部ａ１０３に記憶させる。
【００１９】
制御部ａ１０２は、Ｓｔａｔｅフレーム管理部ａ１０３が記憶するＡＰモード情報を読み出す。また、制御部ａ１０２は、読み出したＡＰモード情報が省電力モードを示す場合には、Ｓｔａｔｅフレーム管理部ａ１０３から予め定められた起動時間情報（ＡＷＡＫＥ  ＴＩＭＥ）を読み出す。制御部ａ１０２は、読み出したＡＰモード情報及び起動時間情報を、ビーコン生成部ａ１０６へ出力する。制御部ａ１０２は、読み出したＡＰモード情報を送受信制御部ａ１０４へ出力する。
【００２０】
Ｓｔａｔｅフレーム管理部ａ１０３は、制御部ａ１０２から入力されたＡＰモード情報、及び起動時間情報を記憶することで、無線基地局装置ＡＰ１のモードを設定する。つまり、Ｓｔａｔｅフレーム管理部ａ１０３が記憶するＡＰモード情報は、無線基地局装置ＡＰ１のモードとなる。
送受信制御部ａ１０４は、制御部ａ１０２から入力されたＡＰモード情報に基づいて、送受信部ａ１１を制御する。例えば、送受信制御部ａ１０４は、省電力モードのとき、送受信部ａ１１に送受信を一時停止させる（停止した状態がスリープ状態である）。これにより、送受信制御部ａ１０４は、送受信部ａ１１が消費する電力を抑制する。
また、送受信制御部ａ１０４は、無線端末装置ＳＴＡ１から信号を受信したか否かに基づいて、送受信部ａ１１を制御する。
【００２１】
ビーコン送信制御部ａ１０５は、Ｓｔａｔｅフレーム管理部ａ１０３が設定しているＡＰモードに基づいて、ビーコン信号の送信を制御する。例えば、ビーコン送信制御部ａ１０５は、ビーコン信号を送信可能なタイミングで（例えば、周期毎に）、ビーコン生成部ａ１０６にビーコンを生成させるビーコン生成指示を出力する。
ビーコン生成部ａ１０６は、ビーコン送信制御部ａ１０５から入力されたビーコン生成指示に基づいて、ビーコン信号を生成する。ここで、ビーコン生成部ａ１０６は、制御部ａ１０２から入力されたＡＰモード情報及び起動時間情報を、ＡＰ状態情報として含むビーコン信号を生成する。ビーコン生成部ａ１０６は、生成したビーコン信号を送受信部ａ１１へ出力する。
【００２２】
バッファ監視部ａ１０７は、送信バッファａ１０８が蓄積する送信データのデータ量を監視する。バッファ監視部ａ１０７は、監視結果を示す情報を制御部ａ１０２へ出力する。
送信バッファａ１０８は、無線端末装置ＳＴＡ１へ送信する送信データを一時的に蓄積する。
送受信部ａ１１は、送受信制御部ａ１０４からの制御に従って、ビーコン信号及び送信データの信号を送信する。また、送受信部ａ１１は、送受信制御部ａ１０４からの制御に従って、無線端末装置ＳＴＡ１からの信号を受信する。送受信部ａ１１は、受信したデータを制御部ａ１０２へ出力する。
【００２３】
＜無線端末装置ＳＴＡ１の構成について＞
図４は、本実施形態に係る無線端末装置ＳＴＡ１の構成を示す概略ブロック図である。この図において、無線端末装置ＳＴＡ１は、無線制御装置ｂ１及び送受信部ｂ１１を含んで構成される。無線制御装置ｂ１は、制御部ｂ１０１、メモリｂ１０２、送受信制御部ｂ１０３、バッファ監視部ｂ１０４、及び送信バッファｂ１０５を含んで構成される。なお、無線端末装置ＳＴＡ１は、その他、無線端末装置が有する一般的で公知な機能を備える。
【００２４】
制御部ｂ１０１は、無線制御装置ｂ１の各部を制御する。具体的には、制御部ｂ１０１は、無線基地局装置ＡＰ１から送信された情報をメモリｂ１０２に記憶させる。例えば、制御部ｂ１０１は、ビーコン信号からＡＰ状態情報を抽出し、抽出したＡＰ状態情報をメモリｂ１０２に記憶させる。制御部ｂ１０１は、メモリｂ１０２が記憶するＡＰ状態情報に基づいて、無線端末装置ＳＴＡ１のモード（活動モード又は省電力モード）を決定する。制御部ｂ１０１は、決定したモードを示すＳＴＡ状態情報をメモリｂ１０２に記憶させる。制御部ｂ１０１は、決定したモードを示すＳＴＡ状態情報とＡＰ状態情報を、送受信制御部ｂ１０３へ出力する。
【００２５】
送受信制御部ｂ１０３は、制御部ｂ１０１から入力されたＳＴＡ状態情報及びＡＰ状態情報に基づいて、送受信部ｂ１１を制御する。例えば、送受信制御部ｂ１０３は、省電力モードのとき、送受信回路に完全に電力が供給されているアウェイク状態と、必要最小限の電力で動作するスリープ状態（送受信不能状態）と、を規則的に遷移させる。
バッファ監視部ｂ１０４は、送信バッファｂ１０５が記憶する送信データのデータ量を監視する。バッファ監視部ｂ１０４は、監視結果を示す情報を制御部ｂ１０１へ出力する。
送信バッファｂ１０５は、無線端末装置ＳＴＡ１へ送信する送信データを一時的に保存する。
【００２６】
送受信部ｂ１１は、送受信制御部ｂ１０４からの制御に従って、送信データを送信する。例えば、送受信部ｂ１１は、メモリｂ１０２が記憶するＳＴＡ状態情報を、無線基地局装置ＡＰ１へ送信する。また、送受信部ｂ１１は、送受信制御部ｂ１０４からの制御に従って、無線基地局装置ＡＰ１からの信号を受信する。送受信部ｂ１１は、受信したデータを制御部ｂ１０１へ出力する。
【００２７】
＜ビーコン信号について＞
図５は、本実施形態に係るビーコン信号のフレーム構成の一例を示す概略図である。この図において、符号ｆ１を付したビーコン信号は、ＭＡＣ（Ｍｅｄｉａ  Ａｃｃｅｓｓ  Ｃｏｎｔｒｏｌ：媒体アクセス制御）ヘッダｆ１１、フレームボディ、及びＦＣＳ（Ｆｒａｍｅ  Ｃｈｅｃｋ  Ｓｅｑｕｅｎｃｅ：フレームチェックシーケンス）ｆ１３で構成される。フレームボディには、Ｓｔａｔｅフレームｆ１２が含まれている。
Ｓｔａｔｅフレームｆ１２には、ＭＯＤＥ（ＡＰモード情報）ｆ１２１及びＡＷＡＫＥ  ＴＩＭＥ（起動時間情報）ｆ１２２の格納領域が含まれている。例えば、ＭＯＤＥ ｆ１２１には、省電力モードを示す「Ｐｏｗｅｒ  Ｓａｖｅ」（「０」であってもよい）、又は、活動モードを示す「Ａｃｔｉｖｅ」（「１」であってもよい）の値が設定される。なお、ＦＣＳ  ｆ１３は、通信プロトコルにおいてデータの誤り検出および訂正を行うため、フレーム内に付け加えられる符号である。
【００２８】
＜無線基地局装置ＡＰ１の動作について＞
図６は、本実施形態に係る無線基地局装置ＡＰ１の動作の一例を示すフローチャートである。
（ステップＳ１０１）制御部ａ１０２は、ＳＴＡ管理部ａ１０１が記憶するＳＴＡ状態情報に基づいて、すべての無線端末装置ＳＴＡ１が省電力モードであるか否かを判定する。少なくとも１つの無線端末装置ＳＴＡ１が省電力モードでないと判定された場合（Ｎｏ）、ステップＳ１０２へ進む。一方、すべての無線端末装置ＳＴＡ１が省電力モードであると判定された場合（Ｙｅｓ）、ステップＳ１０５へ進む。
【００２９】
（ステップＳ１０２）Ｓｔａｔｅフレーム管理部ａ１０３は、ＡＰモードを「活動モード」に設定する。その後、ステップＳ１０３へ進む。
（ステップＳ１０３）ビーコン生成部ａ１０６は、ステップＳ１０２で設定されたＡＰモード（「活動モード」）を示すＡＰモード情報を含むビーコン信号を生成する。送受信部ａ１１は、ビーコン生成部ａ１０６が生成したビーコン信号を、無線端末装置ＳＴＡ１へ送信する。その後、ステップＳ１０４へ進む。
（ステップＳ１０４）送受信制御部ａ１０４は、送受信部ａ１１を起動したまま、送受信部ａ１１に送受信を行わせる。つまり、送受信制御部ａ１０４は、無線基地局装置ＡＰ１をアウェイク状態にする。
【００３０】
（ステップＳ１０５）Ｓｔａｔｅフレーム管理部ａ１０３は、ＡＰモードを「省電力モード」に設定する。ここで、Ｓｔａｔｅフレーム管理部ａ１０３は、起動時間情報を設定する。なお、起動時間情報は、無線基地局装置ＡＰ１のアウェイク期間を表す。すなわち、Ｓｔａｔｅフレーム管理部ａ１０３は、Ｓｔａｔｅフレームに値を設定する。その後、ステップＳ１０６へ進む。
（ステップＳ１０６）ビーコン生成部ａ１０６は、ステップＳ１０５で設定されたＳｔａｔｅフレームを含むビーコン信号を生成する。送受信部ａ１１は、ビーコン生成部ａ１０６が生成したビーコン信号を、無線端末装置ＳＴＡ１へ送信する。その後、ステップＳ１０７へ進む。
【００３１】
（ステップＳ１０７）送受信制御部ａ１０４は、送受信部ａ１１を起動時間情報が示す時間（アウェイク期間）だけ起動し、送受信部ａ１１に送受信させる。その後、ステップＳ１０８へ進む。
（ステップＳ１０８）制御部ａ１０２は、送受信部ａ１１が少なくとも１つの無線端末装置ＳＴＡ１から信号を受信したか否かを判定する。少なくとも１つの無線端末装置ＳＴＡ１から信号を受信したと判定された場合（Ｙｅｓ）、ステップ１０９へ進む。一方、全ての無線端末装置ＳＴＡ１から信号を受信していないと判定された場合（Ｎｏ）、ステップＳ１１１へ進む。
【００３２】
（ステップＳ１０９）制御部ａ１０２は、信号を受信した無線端末装置ＳＴＡ１宛のＡＣＫ信号を生成し、生成したＡＣＫ信号を送受信部ａ１１に送信させる。その後、ステップＳ１１０へ進む。
（ステップＳ１１０）送受信制御部ａ１０４は、送受信部ａ１１を起動させたままにする。つまり、送受信制御部ａ１０４は、無線基地局装置ＡＰ１をアウェイク状態にする。なお、この場合、無線基地局装置ＡＰ１は、起動時間情報を参照することなく、アウェイク状態を維持する。つまり、この場合、無線基地局装置ＡＰ１は、起動時間情報を参照しないので、起動時間情報を設定し直さなくてよい。
（ステップＳ１１１）送受信制御部ａ１０４は、一定期間（スリープ期間）だけ送受信部ａ１１を停止させる。つまり、送受信制御部ａ１０４は、スリープ期間に、無線基地局装置ＡＰ１をスリープ状態にする。なお、送受信部ａ１１を停止させるスリープ期間は予め定められている。また、このスリープ期間は、例えば、起動時間情報が示す時間（１回のアウェイク期間）と１回のスリープ期間との合計時間（周期）によって定められてもよく、周期から起動時間情報を差し引いた値であってもよい。
【００３３】
図７は、本実施形態に係るＳＴＡ管理部ａ１０１の動作の一例を示すフローチャートである。
（ステップＳ２０１）無線端末装置ＳＴＡ１が無線基地局装置ＡＰ１に接続を許可した場合に、ＳＴＡ管理部ａ１０１は、接続する無線端末装置ＳＴＡ１のアドレス（識別情報）を取得する。ＳＴＡ管理部ａ１０１は、取得したアドレスに対してモード「活動モード」を対応付けたＳＴＡ状態情報を記憶する。つまり、ＳＴＡ管理部ａ１０１は、接続している無線端末装置ＳＴＡ１のアドレスを登録し、この無線端末装置ＳＴＡ１のモードを「活動モード」に設定する。その後、ステップＳ２０２へ進む。
【００３４】
（ステップＳ２０２）制御部ａ１０２が無線端末装置ＳＴＡ１から「省電力モード」を示すＳＴＡ状態情報を取得した場合、ＳＴＡ管理部ａ１０１は、この無線端末装置ＳＴＡ１のアドレスに対応するモードを「省電力モード」に更新する。つまり、ＳＴＡ管理部ａ１０１は、「省電力モード」を示すＳＴＡ状態情報を送信した無線端末装置ＳＴＡ１のモードを「省電力モード」に設定する。なお、その後、制御部ａ１０２が無線端末装置ＳＴＡ１から「活動モード」を示すＳＴＡ状態情報を取得した場合、ＳＴＡ管理部ａ１０１は、この無線端末装置ＳＴＡ１のアドレスに対応するモードを「活動モード」に更新する。
【００３５】
＜無線端末装置ＳＴＡ１の動作について＞
図８は、本実施形態に係る無線端末装置ＳＴＡ１の動作の一例を示すフローチャートである。
（ステップＳ３０１）送受信部ｂ１１は、無線基地局装置ＡＰ１から送信されたビーコン信号を受信する。なお、無線端末装置ＳＴＡ１は、例えば自装置が省電力モードの場合でも、ビーコン信号の受信の際にアウェイク状態になり、ビーコン信号を受信する。送受信部ｂ１１は、受信したビーコン信号のＳｔａｔｅフレームの値を、ＡＰ状態情報としてメモリｂ１０２に記憶させる。その後、無線端末装置ＳＴＡ１において、無線基地局装置ＡＰ１へ送信する送信データが発生した場合、ステップＳ３０２へ進む。
【００３６】
（ステップＳ３０２）制御部ｂ１０１は、メモリｂ１０２が記憶するＡＰ状態情報に基づいて、無線基地局装置ＡＰ１のモードが「省電力モード」であるか否かを判定する。「省電力モード」であると判定された場合（Ｙｅｓ）、ステップＳ３０３へ進む。一方、「省電力モード」でないと判定された場合（Ｎｏ）、ステップＳ３０６へ進む。
（ステップＳ３０３）制御部ｂ１０１は、メモリｂ１０２が記憶するＡＰ状態情報に基づいて、無線基地局装置ＡＰ１がスリープ状態であるか否かを判定する。具体的には、制御部ｂ１０１は、起動時間情報が示す時間が経過している場合にはスリープ状態であると判定し、起動時間情報が示す時間が経過していない場合にはアウェイク状態であると判定する。無線基地局装置ＡＰ１がスリープ状態であると判定された場合（Ｙｅｓ）、ステップＳ３０４へ進む。一方、無線基地局装置ＡＰ１がスリープ状態でないと判定された場合（Ｎｏ）、ステップＳ３０６へ進む。
【００３７】
（ステップＳ３０４）送受信制御部ａ１０４は、発生した送信データのパケットを、送信バッファｂ１０５に保存したままにする。つまり、送受信制御部ａ１０４は、送信データのパケットの送信を保留させる。その後、ステップＳ３０５へ進む。
（ステップＳ３０５）送受信部ｂ１１は、無線基地局装置ＡＰ１から送信されたビーコン信号を受信する。送受信部ｂ１１は、受信したビーコン信号のＳｔａｔｅフレームの値を、ＡＰ状態情報としてメモリｂ１０２に記憶させる。この時点で、メモリｂ１０２が記憶しているＡＰ状態情報は、「活動モード」、又は「省電力モード」でアウェイク状態、を示す。ここで、無線基地局装置ＡＰ１は、ビーコン信号を送信後、起動時間情報が示す時間（アウェイク期間）だけ起動し、その後、スリープ状態となる（図６のステップＳ１０６、１０７参照）。このため、無線基地局装置ＡＰ１がビーコン信号を送信した直後は、無線基地局装置ＡＰ１はアウェイク状態となっている。
【００３８】
（ステップＳ３０６）送受信制御部ａ１０４は、送受信部ｂ１１に信号を送受信させる。例えば、送受信部ｂ１１は、送信バッファｂ１０５が記憶している送信データの信号を送信する。その後、ステップＳ３０７へ進む。
（ステップＳ３０７）制御部ｂ１０１は、ステップＳ３０６で送信した信号に対して、送受信部ｂ１１が無線基地局装置ＡＰ１からＡＣＫ信号を受信したか否かを判定する。ＡＣＫ信号を受信したと判定された場合（Ｙｅｓ）、動作を終了する。一方、ＡＣＫ信号を受信していないと判定された場合（Ｎｏ）、ステップＳ３０８へ進む。
（ステップＳ３０８）制御部ｂ１０１は、バックオフ時間が経過したか否かを判定する。バックオフ時間とは、信号の衝突が発生した場合に、次の送信までの待ち時間である。バックオフ時間が経過したと判定された場合（Ｙｅｓ）、ステップＳ３０６へ進む。一方、バックオフ時間が経過していないと判定された場合（Ｎｏ）、ステップＳ３０８へ戻る。
【００３９】
図９は、本実施形態に係る間欠通信と無線基地局装置ＡＰ１の状態との関係の一例を示す概略図である。この図において、横軸は時間軸である。
符号９Ａを付した図９Ａは、無線基地局装置ＡＰ１が活動モードの場合の一例を示す。符号９Ｂを付した図９Ｂは、無線基地局装置ＡＰ１が省電力モードの場合の一例を示す。
【００４０】
図９Ａにおいて、符号Ｓ２１１、Ｓ２１２を付した信号は、無線基地局装置ＡＰ１が送信したビーコン信号Ｓ２１１、Ｓ２１２である。ビーコン信号Ｓ２１１には、無線基地局装置ＡＰ１が「活動モード」であることを示すＡＰ状態情報が含まれている。この場合、無線基地局装置ＡＰ１は、ビーコン信号Ｓ２１１の送信時には、符号Ａ２１１を付したアウェイク状態となり、その後、信号の送受信を行う。
【００４１】
図９Ｂにおいて、符号Ｓ２２１、Ｓ２２２を付した信号は、無線基地局装置ＡＰ１が送信したビーコン信号Ｓ２２１、Ｓ２２２である。ビーコン信号Ｓ２２１には、無線基地局装置ＡＰ１が「省電力モード」であることを示すＡＰモード情報、及び、起動時間情報を含むＡＰ状態情報が含まれている。この場合、無線基地局装置ＡＰ１は、周期の開始から起動時間情報が示す時間だけ、符号Ａ２２１を付したアウェイク状態となり、その後、信号の送受信を行う。起動時間情報が示す時間の経過後、無線基地局装置ＡＰ１は、符号Ａ２２２を付したスリープ状態となり、次の周期の開始まで信号の送受信を停止する。
【００４２】
図１０は、本実施形態に係る間欠通信と各装置の状態との関係の一例を示す概略図である。この図において、横軸は時間軸である。
符号１０Ａを付した図１０Ａは、無線基地局装置ＡＰ１における間欠通信と装置の状態との関係の一例を示す。符号１０Ｂを付した図１０Ｂは、無線端末装置ＳＴＡ１における間欠通信と装置の状態との関係の一例を示す。
【００４３】
図１０Ａにおいて、符号Ｓ３１１、Ｓ３１２、Ｓ３１５を付した信号は、無線基地局装置ＡＰ１が送信したビーコン信号Ｓ３１１、Ｓ３１２、Ｓ３１５である。ビーコン信号Ｓ３１１には、無線基地局装置ＡＰ１が「省電力モード」であることを示すＡＰモード情報、及び、起動時間情報を含むＡＰ状態情報が含まれている。この場合、無線基地局装置ＡＰ１は、周期の開始から起動時間情報が示す時間だけ、符号Ａ３１１を付したアウェイク状態となり、その後、信号の送受信を行う。起動時間情報が示す時間の経過後、無線基地局装置ＡＰ１は、符号Ａ３１２を付したスリープ状態となり、次の周期の開始まで信号の送受信を停止する。
【００４４】
図１０Ａにおいて、符号Ｒ３１３を付した信号は、無線基地局装置ＡＰ１が受信した信号であり、図１０Ｂで符号Ｓ３２４を付した信号Ｓ３２４の受信信号である。符号Ｓ３１４を付した信号は、無線基地局装置ＡＰ１が送信したＡＣＫ信号である。無線基地局装置ＡＰ１は、アウェイク状態のときに少なくとも１つの無線端末装置ＳＴＡ１から信号を受信してＡＣＫ信号を送信した場合、その周期では、符号Ａ３１３を付したアウェイク状態を継続する。なお、無線基地局装置ＡＰ１は、予め定めた周期だけ（例えば、次の周期でも）、アウェイク状態を継続してもよい。また、予め定めた周期は、無線端末装置ＳＴＡ１から受信したデータ量や信号を送信した無線端末装置ＳＴＡ１の数に応じて定められてもよい。
【００４５】
図１０Ｂにおいて、符号Ｒ３２１、Ｒ３２３、Ｒ３２６を付した信号は、無線端末装置ＳＴＡ１が受信したビーコン信号Ｒ３２１、Ｒ３２３、Ｒ３２６であり、それぞれ、ビーコン信号Ｓ３１１、Ｓ３１２、Ｓ３１５の受信信号である。
符号Ｈ３２２は、無線端末装置ＳＴＡ１に発生した送信データＨ３２２を示す。無線端末装置ＳＴＡは、ビーコン信号Ｒ３２１に含まれるＡＰ状態情報に基づいて、送信データＨ３２２の信号を送信することを保留する。具体的には、無線端末装置ＳＴＡは、無線基地局装置ＡＰ１がスリープ状態にある期間には、送信データＨ３２２の信号を送信することを保留する。
【００４６】
図１０Ｂにおいて、符号Ｓ３２４を付した信号は、無線基地局装置ＡＰ１が送信した信号Ｓ３２４である。信号Ｓ３２４は、送信データＨ３２２の信号である。無線端末装置ＳＴＡは、ビーコン信号Ｒ３２３に含まれるＡＰ状態情報に基づいて、無線基地局装置ＡＰ１がアウェイク状態にある期間に、信号Ｓ３２４の信号を送信する。
図１０Ｂにおいて、符号Ｒ３２５を付した信号は、無線端末装置ＳＴＡ１が受信したＡＣＫ信号Ｒ３２５であり、ＡＣＫ信号Ｓ３１４の受信信号である。
【００４７】
このように、本実施形態によれば、無線基地局装置ＡＰ１では、送受信部ａ１１が無線基地局装置ＡＰ１が省電力モードであることを示すＡＰ状態情報を含むビーコン信号を送信する。すなわち、無線基地局装置ＡＰ１は、自装置の状態を示す基地局モード情報（ＡＰ状態情報）を含むビーコン信号を送信する送信部（送受信部ａ１１）を備える。送受信部ａ１１は、無線基地局装置ＡＰ１が省電力モードの場合に、休止状態になる。無線端末装置ＳＴＡ１では、送受信部ｂ１１が無線基地局装置ＡＰ１の状態を示すＡＰ状態情報を含むビーコン信号を受信する。制御部ｂ１０１は、ＡＰ状態情報に基づいて、自装置の状態を決定する。これにより、無線通信システム１では、消費電力を抑えることができる。
【００４８】
また、本実施形態によれば、無線基地局装置ＡＰ１では、ＳＴＡ管理部ａ１０１が無線端末装置ＳＴＡ１の状態を示すＳＴＡ状態情報を管理する。制御部ａ１０２は、ＳＴＡ状態情報がすべての無線端末装置ＳＴＡ１の状態が省電力モードであることを示す場合に、無線基地局装置ＡＰ１の状態を省電力モードに決定する。これにより、無線通信システム１では、無線基地局装置ＡＰ１に接続しているすべての無線端末装置ＳＴＡ１が省電力モードのとき、無線基地局装置ＡＰ１も省電力モードに移行し、消費電力の削減が可能になる。
【００４９】
また、無線基地局装置ＡＰ１では、送受信部ａ１１が、無線基地局装置ＡＰ１が省電力モードの場合に、予め定めた起動時間に通信可能な起動状態になった後、休止状態になる。ビーコン信号は、起動時間を示す起動時間情報を含む。すなわち、無線基地局装置ＡＰ１において、通信部（送受信部ａ１１）は、自装置が省電力モードの場合に、予め定めた起動時間に通信可能な起動状態になった後、休止状態になり、ビーコン信号は、起動時間を示す起動時間情報を含む。
これにより、無線基地局装置ＡＰ１が省電力モードに移行する際、スリープ制御パケットを送信する必要がなく、消費電力を削減できる。また、省電力モードの無線端末装置ＳＴＡ１は、ビーコン信号を受信するときだけ、アウェイク状態になることができる。また、無線端末装置ＳＴＡ１は、無線基地局装置ＡＰ１の状態を考慮して信号を送信できるため、無駄な信号の送信を防止できる。
【００５０】
（第２の実施形態）
以下、図面を参照しながら本発明の第２の実施形態について詳しく説明する。
図１１は、本発明の第２の実施形態に係る無線通信システム２を示す概略図である。この図において、無線通信システム２は、無線基地局装置ＡＰ２、及び、無線端末装置ＳＴＡ２１、ＳＴＡ２２（無線端末装置各々をＳＴＡ２とも称する）を具備する。
本実施形態では、無線基地局装置ＡＰ２は、無線基地局装置ＡＰ２に接続している無線端末装置ＳＴＡ２の有無に基づいてＡＰ状態情報を生成し、生成したＡＰ状態情報を含むビーコン信号を送信する。
【００５１】
＜無線基地局装置ＡＰ２の構成について＞
図１２は、本実施形態に係る無線基地局装置ＡＰ２の構成を示す概略ブロック図である。無線基地局装置ＡＰ２（図１２）と第１の実施形態に係る無線基地局装置ＡＰ１（図３）とを比較すると、無線制御装置ａ２の制御部ａ２０２が異なる。しかし、他の構成（ＳＴＡ管理部ａ１０１、Ｓｔａｔｅフレーム管理部ａ１０３、送受信制御部ａ１０４、ビーコン送信制御部ａ１０５、バッファ監視部ａ１０７、送信バッファａ１０８、及び送受信部ａ１１）が持つ機能は第１の実施形態と同じである。第１の実施形態と同じ機能の説明は省略する。
【００５２】
制御部ａ２０２は、無線制御装置ａ２の各部を制御する。例えば、制御部ａ２０２は、接続している無線端末装置ＳＴＡ２を示す接続情報を、ＳＴＡ管理部ａ１０１へ出力する。ここで、接続している無線端末装置ＳＴＡ２とは、無線基地局装置ＡＰ２と通信可能な無線端末装置ＳＴＡ２をいう。具体的に接続している無線端末装置ＳＴＡ２とは、無線端末装置ＳＴＡ２からの接続要求に基づいて無線基地局装置ＡＰ２に接続を許可された無線端末装置ＳＴＡ２であって、ハンドオーバや通信停止等によって無線基地局装置ＡＰ２との接続を停止していない無線端末装置ＳＴＡ２である。しかし、本発明はこれに限らず、例えば、接続している無線端末装置ＳＴＡ２とは、データの送信又は受信をしている接続している無線端末装置ＳＴＡ２であってもよいし、データの送信又は受信から予め定めた時間経過前の無線端末装置ＳＴＡ２であってもよい。
【００５３】
また例えば、制御部ａ２０２は、ＳＴＡ管理部ａ１０１が記憶する接続情報に基づいて、無線基地局装置ＡＰ２のモードを決定する。制御部ａ２０２は、決定したＡＰモードを示すＡＰモード情報を、Ｓｔａｔｅフレーム管理部ａ１０３に記憶させる。
制御部ａ２０２は、Ｓｔａｔｅフレーム管理部ａ１０３が記憶するＡＰモード情報を読み出す。また、制御部ａ２０２は、読み出したＡＰモード情報が省電力モードを示す場合には、Ｓｔａｔｅフレーム管理部ａ１０３から起動時間情報（ＡＷＡＫＥ  ＴＩＭＥ）を読み出す。制御部ａ２０２は、読み出したＡＰモード情報及び起動時間情報を、ビーコン生成部ａ１０６へ出力する。制御部ａ２０２は、読み出したＡＰモード情報を送受信制御部ａ１０４へ出力する。
【００５４】
本実施形態に係る無線端末装置ＳＴＡ２は、第１の実施形態に係る無線端末装置ＳＴＡ１（図４）と同様の構成を備えるので、説明は省略する。ここで、例えば、送受信制御部ｂ１０３は、無線基地局装置ＡＰ２宛の接続要求を送受信部ｂ１１に送信させる。また、送受信制御部ｂ１０３は、他の無線基地局装置へハンドオーバするとき、又は通信を停止するとき等、無線基地局装置ＡＰ２との接続を停止する場合には、無線基地局装置ＡＰ２宛の接続停止要求を送受信部ｂ１１に送信させる。
本実施形態に係るビーコン信号のフレーム構成の一例は、第１の実施形態のもの（図５）と同じであるので説明は省略する。
【００５５】
＜無線基地局装置ＡＰ２の動作について＞
図１３は、本実施形態に係る無線基地局装置ＡＰ２の動作の一例を示すフローチャートである。無線基地局装置ＡＰ２の動作（図１３）と第１の実施形態に係る無線基地局装置ＡＰ１の動作（図６）とを比較すると、ステップＳ４０１の処理が異なる。しかし、他の処理は第１の実施形態と同じであるので、説明は省略する。
【００５６】
（ステップＳ４０１）制御部ａ２０２は、ＳＴＡ管理部ａ１０１が記憶する接続情報に基づいて、無線基地局装置ＡＰ２に接続している無線端末装置ＳＴＡ２があるか否かを判定する。無線基地局装置ＡＰ２に接続している無線端末装置ＳＴＡ２がないと判定された場合（Ｎｏ）ステップＳ１０２へ進む。一方、無線基地局装置ＡＰ２に接続している無線端末装置ＳＴＡ２があると判定された場合（Ｙｅｓ）、ステップＳ１０５へ進む。
【００５７】
本実施形態に係るＳＴＡ管理部ａ１０１の動作の一例は、第１の実施形態のもの（図７）と同じであるので、説明は省略する。なお、制御部ａ２０２が無線端末装置ＳＴＡ２から接続停止要求を受信した場合や、予め定めた期間に無線基地局装置ＡＰ２と無線端末装置ＳＴＡ２とが送受信を行わない場合には、その無線端末装置ＳＴＡ２のアドレス（識別情報）を接続情報から削除する。
【００５８】
本実施形態に係る無線端末装置ＳＴＡ２の動作の一例は、無線端末装置ＳＴＡ１の動作（図８）と同じであるので、説明は省略する。本実施形態に係る間欠通信と無線基地局装置ＡＰ２の状態との関係の一例は、第１の実施形態のもの（図９）と同じであるので、説明は省略する。本実施形態に係る間欠通信と各装置の状態との関係の一例は、第１の実施形態のもの（図１０）と同じであるので、説明は省略する。
【００５９】
このように、本実施形態によれば、ＳＴＡ管理部ａ１０１は、無線端末装置ＳＴＡ２の接続状況を示すＳＴＡ状態情報を管理する。制御部ａ２０２は、ＳＴＡ状態情報が無線基地局装置ＡＰ２に無線端末装置ＳＴＡ２が接続していないことを示す場合に、無線端末装置ＳＴＡ２の状態を省電力モードに決定する。この場合、送受信部ａ１１は、無線基地局装置ＡＰ２が省電力モードであることを示すＡＰ状態情報を含むビーコン信号を送信する。すなわち、無線基地局装置ＡＰ２は、無線端末装置ＳＴＡ２の接続状況を示す端末状態情報（ＳＴＡ状態情報）を管理する端末管理部（ＳＴＡ管理部ａ１０１）と、端末状態情報が自装置に無線端末装置ＳＴＡ２が接続していないことを示す場合に、自装置の状態を省電力モードに決定する制御部と、を備える。
これにより、無線通信システム２では、無線基地局装置ＡＰ２に接続している無線端末装置ＳＴＡ２がゼロのとき、無線基地局装置ＡＰ２が省電力モードに移行し、消費電力の削減が可能になる。また、無線基地局装置ＡＰ２が省電力モードに移行する際、スリープ制御パケットを送信する必要がなく、消費電力を削減できる。また、省電力モードの無線端末装置ＳＴＡ２は、ビーコン信号を受信するときだけ、アウェイク状態になることができる。また、無線端末装置ＳＴＡ１は、無線基地局装置ＡＰ２の状態を考慮して信号を送信できるため、無駄な信号の送信を防止できる。
【００６０】
（第３の実施形態）
以下、図面を参照しながら本発明の第３の実施形態について詳しく説明する。
図１４は、本発明の第３の実施形態に係る無線通信システム３を示す概略図である。この図において、無線通信システム３は、無線基地局装置ＡＰ３、及び、無線端末装置ＳＴＡ３１、ＳＴＡ３２（無線端末装置各々をＳＴＡ３とも称する）を具備する。
本実施形態では、無線基地局装置ＡＰ３は、送信バッファの容量に基づいてＡＰ状態情報を生成し、生成したＡＰ状態情報を含むビーコン信号を送信する。
【００６１】
＜無線基地局装置ＡＰ３の構成について＞
図１５は、本実施形態に係る無線基地局装置ＡＰ３の構成を示す概略ブロック図である。無線基地局装置ＡＰ３（図１５）と第１の実施形態に係る無線基地局装置ＡＰ１（図３）とを比較すると、無線制御装置ａ３の制御部ａ３０２が異なる。しかし、他の構成（ＳＴＡ管理部ａ１０１、Ｓｔａｔｅフレーム管理部ａ１０３、送受信制御部ａ１０４、ビーコン送信制御部ａ１０５、バッファ監視部ａ１０７、送信バッファａ１０８、及び送受信部ａ１１）が持つ機能は第１の実施形態と同じである。第１の実施形態と同じ機能の説明は省略する。
【００６２】
制御部ａ３０２は、無線制御装置ａ３の各部を制御する。例えば、制御部ａ３０２は、無線端末装置ＳＴＡ３から送信されたＳＴＡ状態情報を、送受信部ａ１１を介して受信する。制御部ａ１０２は、受信したＳＴＡ状態情報を、ＳＴＡ管理部ａ１０１へ出力する。
また例えば、制御部ａ３０２は、バッファ監視部ａ１０７から入力された情報が示す監視結果に基づいて、無線基地局装置ＡＰ３のモードを決定する。制御部ａ３０２は、決定したＡＰモードを示すＡＰモード情報を、Ｓｔａｔｅフレーム管理部ａ１０３に記憶させる。
【００６３】
制御部ａ３０２は、Ｓｔａｔｅフレーム管理部ａ１０３が記憶するＡＰモード情報を読み出す。また、制御部ａ３０２は、読み出したＡＰモード情報が省電力モードを示す場合には、Ｓｔａｔｅフレーム管理部ａ１０３から起動時間情報（ＡＷＡＫＥ  ＴＩＭＥ）を読み出す。制御部ａ３０２は、読み出したＡＰモード情報及び起動時間情報を、ビーコン生成部ａ１０６へ出力する。制御部ａ３０２は、読み出したＡＰモード情報を送受信制御部ａ１０４へ出力する。
【００６４】
本実施形態に係る無線端末装置ＳＴＡ３は、第１の実施形態に係る無線端末装置ＳＴＡ１（図４）と同様の構成を備えるので、説明は省略する。ここで、送受信制御部ｂ１０３は、無線基地局装置ＡＰ３に対して送信データの送信を要求するときには、送受信部ｂ１１にＰＳ（Ｐｏｗｅｒ  Ｓａｖｅ）−Ｐｏｌｌ（ポル）を送信させる。なお、ＰＳ−Ｐｏｌｌとは、送信データの送信要求であり、無線端末装置ＳＴＡ３が送信するものである。
本実施形態に係るビーコン信号のフレーム構成の一例は、第１の実施形態のもの（図５）と同じであるので説明は省略する。
【００６５】
＜無線基地局装置ＡＰ３の動作について＞
図１６は、本実施形態に係る無線基地局装置ＡＰ３の動作の一例を示すフローチャートである。無線基地局装置ＡＰ３の動作（図１３）と第１の実施形態に係る無線基地局装置ＡＰ１の動作とを比較すると、ステップＳ５０１、Ｓ５１１〜Ｓ５１８の処理が異なる。しかし、他の処理は第１の実施形態と同じであるので、第１の実施形態と同じ処理の説明は省略する。なお、ステップＳ１０９の処理後は、ステップＳ５１８へ進む。
【００６６】
（ステップＳ５０１）制御部ａ３０２は、バッファ監視部ａ１０７から入力された情報が示す監視結果に基づいて、送信バッファａ１０８が空であるか否かを判定する。送信バッファａ１０８が空であると判定された場合（Ｙｅｓ）、ステップＳ１０５へ進む。一方、送信バッファａ１０８が空でないと判定された場合（Ｎｏ）、ステップＳ１０２へ進む。
（ステップＳ５１１）制御部ａ３０２は、ＳＴＡ管理部ａ１０１が記憶するＳＴＡ状態情報に基づいて、送信データの送信先の無線端末装置ＳＴＡ３が省電力モードであるか否かを判定する。送信先の無線端末装置ＳＴＡ３が省電力モードでないと判定された場合（Ｎｏ）、ステップＳ５１２へ進む。一方、送信先の無線端末装置ＳＴＡ３が省電力モードであると判定された場合（Ｙｅｓ）、ステップＳ５１４へ進む。
【００６７】
（ステップＳ５１２）制御部ａ３０２は、ステップＳ５１１で省電力モードでないと判定した無線端末装置ＳＴＡ３へ、送信データの信号を送信する。その後、ステップＳ５１３へ進む。
（ステップＳ５１３）ビーコン生成部ａ１０６は、ステップＳ１０２で設定されたＡＰモード（「活動モード」）を示すＡＰモード情報を含むビーコン信号を生成する。送受信部ａ１１は、ビーコン生成部ａ１０６が生成したビーコン信号を、無線端末装置ＳＴＡ３へ送信する。その後、ステップＳ５１８へ進む。
【００６８】
（ステップＳ５１４）制御部ａ３０２は、送信バッファａ１０８に対して、ステップＳ５１１で省電力モードであると判定した無線端末装置ＳＴＡ３へ送信する送信データを蓄積させる。その後、ステップＳ５１５へ進む。
（ステップＳ５１５）ビーコン生成部ａ１０６は、ステップＳ１０２で設定されたＡＰモード（「活動モード」）を示すＡＰモード情報を含むビーコン信号を生成する。なお、このビーコン信号には、ステップＳ５１４で蓄積された送信データの宛先（無線端末装置ＳＴＡ３）毎に、送信データを蓄積していることを示す蓄積情報が含まれる。送受信部ａ１１は、ビーコン生成部ａ１０６が生成したビーコン信号を、無線端末装置ＳＴＡ３へ送信する。その後、ステップＳ５１６へ進む。
【００６９】
（ステップＳ５１６）制御部ａ３０２は、ステップＳ５１１で省電力モードであると判定した無線端末装置ＳＴＡ３からＰＳ−Ｐｏｌｌを受信したか否かを判定する。ＰＳ−Ｐｏｌｌを受信したと判定された場合（Ｙｅｓ）、ステップＳ５１７へ進む。一方、ＰＳ−Ｐｏｌｌを受信していないと判定された場合（Ｎｏ）、ステップＳ５１５へ戻る。
（ステップＳ５１７）制御部ａ３０２は、ステップＳ５１４で蓄積した送信データの信号、及び、その後に発生した送信データの信号を、ステップＳ５１６で受信したＰＳ−Ｐｏｌｌを送信した無線端末装置ＳＴＡ３へ送信する。その後、ステップＳ５１８へ進む。
（ステップＳ５１８）送受信制御部ａ１０４は、送受信部ａ１１を起動させたままにする。つまり、送受信制御部ａ１０４は、無線基地局装置ＡＰ３をアウェイク状態にする。
【００７０】
本実施形態に係るＳＴＡ管理部ａ１０１の動作の一例は、第１の実施形態のもの（図７）と同じであるので、説明は省略する。本実施形態に係る無線端末装置ＳＴＡ３の動作の一例は、無線端末装置ＳＴＡ１のもの（図８）と同じであるので、説明は省略する。
【００７１】
図１７は、本実施形態に係る無線端末装置ＳＴＡ３の別の動作の一例を示すフローチャートである。この動作は、無線端末装置ＳＴＡ３が省電力モードの場合の動作の一例を示す。なお、第１の実施形態に係る無線端末装置ＳＴＡ１、第２の実施形態に係る無線端末装置ＳＴＡ２も、省電力モードの場合には、一例として、図１７に示す動作を行う。
【００７２】
（ステップＳ６０１）送受信制御部ｂ１０３は、制御部ｂ１０１から省電力モードを示すＳＴＡ状態情報が入力された場合に、送受信部ｂ１１にＳＴＡ状態情報を送信させる。ここで、送受信部ｂ１１は、例えば、パワーマネージメントビットを用いて、無線基地局装置ＡＰ３へ省電力モードを示すＳＴＡ状態情報を送信する。つまり、無線端末装置ＳＴＡ３は、無線基地局装置ＡＰ３へモードの変更（活動モードから省電力モードへの変更）を通知する。その後、ステップＳ６０２へ進む。
（ステップＳ６０２）制御部ｂ１０１は、省電力モードを示すＳＴＡ状態情報をメモリｂ１０２に記憶させる。これにより、無線基地局装置ＡＰ３は、省電力モードに移行する。その後、ステップＳ６０３へ進む。
【００７３】
（ステップＳ６０３）制御部ｂ１０１は、無線基地局装置ＡＰ３が送信したビーコン信号を受信する。制御部ｂ１０１は、ビーコン信号に含まれる蓄積情報に基づいて、自装置宛の送信データが無線基地局装置ＡＰ３に蓄積されているか否かを判定する。自装置宛の送信データが蓄積されていると判定された場合（Ｙｅｓ）、ステップＳ６０５へ進む。一方、自装置宛の送信データが蓄積されていないと判定された場合（Ｎｏ）、ステップＳ６０３へ戻る。
（ステップＳ６０５）送受信制御部ｂ１０３は、送受信部ｂ１１に無線基地局装置ＡＰ３宛のＰＳ−Ｐｏｌｌを送信させる。その後、ステップＳ６０６へ進む。
（ステップＳ６０６）送受信部ｂ１１は、無線基地局装置ＡＰ３から送信された送信データの信号を受信する。制御部ｂ１０１は、受信した信号の送信データを取得する。
【００７４】
本実施形態に係る間欠通信と無線基地局装置ＡＰ３の状態との関係の一例は、第１の実施形態のもの（図９）と同じであるので、説明は省略する。本実施形態に係る間欠通信と各装置の状態との関係の一例は、第１の実施形態のもの（図１０）と同じであるので、説明は省略する。
【００７５】
このように、本実施形態によれば、無線基地局装置ＡＰ３では、送信バッファａ１０８が無線端末装置ＳＴＡ３宛のデータを蓄積する。制御部ａ３０２は、送信バッファａ１０８がデータを蓄積していない場合に、無線基地局装置ＡＰ３の状態を省電力モードに決定するこの場合、送受信部ａ１１は、無線基地局装置ＡＰ３が省電力モードであることを示すＡＰ状態情報を含むビーコン信号を送信する。すなわち、無線基地局装置ＡＰ３は、無線端末装置宛ＳＴＡ３のデータを蓄積する送信バッファ（送信バッファａ１０８）と、送信バッファがデータを蓄積していない場合に、自装置の状態を省電力モードに決定する制御部（制御部ａ３０２）と、を備える。
これにより、無線通信システム３では、送信バッファａ１０８がデータを蓄積しておらず、無線基地局装置ＡＰ３が通信を行う必要がないとき、無線基地局装置ＡＰ３が省電力モードに移行し、消費電力の削減が可能になる。また、無線基地局装置ＡＰ３が省電力モードに移行する際、スリープ制御パケットを送信する必要がなく、消費電力を削減できる。また、省電力モードの無線端末装置ＳＴＡ３は、ビーコン信号を受信するときだけ、アウェイク状態になることができる。また、無線端末装置ＳＴＡ１は、無線基地局装置ＡＰ３の状態を考慮して信号を送信できるため、無駄な信号の送信を防止できる。
【００７６】
なお、上記各実施形態において、無線基地局装置ＡＰ１、ＡＰ２、ＡＰ３は、ＤＴＩＭビーコン信号のみにＳｔａｔｅフレームを含ませてもよい。又は、無線基地局装置ＡＰ１、ＡＰ２、ＡＰ３は、すべてのビーコンにＳｔａｔｅフレームを含ませてもよい。また、上記各実施形態において、無線基地局装置ＡＰ１、ＡＰ２、ＡＰ３は、Ｓｔａｔｅフレームをビーコン信号のフレームボディに含ませる場合について説明したが、本発明はこれに限らず、他のフィールドに設定してもよい。無線基地局装置ＡＰ１、ＡＰ２、ＡＰ３は、Ｓｔａｔｅフレームを従来あるフィールドに含ませてもよい（例えば、ＭＡＣヘッダのフレーム制御の「パワー・マネージメント」の領域にＡＰモード情報又は起動時間情報を含ませてもよい）
【００７７】
また、上記各実施形態において、無線基地局装置ＡＰ１、ＡＰ２、ＡＰ３は、ＳｔａｔｅフレームにＡＰモード情報及び起動時間情報の両方を設定する場合について説明したが、本発明はこれに限らず、いづれか一方を設定してもよい。また、無線基地局装置ＡＰ１、ＡＰ２、ＡＰ３は、ＳｔａｔｅフレームにＡＰモード情報及び起動時間情報を設定したが、これ以外のフレームを設定してもよい（例えば、無線基地局装置ＡＰ１、ＡＰ２、ＡＰ３に接続しているアクティブ状態にある無線端末装置ＳＴＡ１、ＳＴＡ２、ＳＴＡ３の数を、無線端末装置ＳＴＡ１、ＳＴＡ２、ＳＴＡ３に通知するために、「Ａｃｔｉｖｅ  ＳＴＡ」を設定してもよい）。
また、上記各実施形態において、無線基地局装置ＡＰ１、ＡＰ２、ＡＰ３は、起動時間情報を設定せずに、省電力モードの場合に、予め定めた時間だけアウェイク状態を継続してもよい。また、無線基地局装置ＡＰ１、ＡＰ２、ＡＰ３は、無線基地局装置ＡＰ１、ＡＰ２、ＡＰ３が省電力モードであることを無線端末装置ＳＴＡ１、ＳＴＡ２、ＳＴＡ３に通知するために、Ｂｌｕｅｔｏｏｔｈ（登録商標）やＷＡＮ等を利用してもよい。
また、上記各実施形態における図面に示した動作の一例を規格化してもよい。
【００７８】
なお、上述した実施形態における無線基地局装置ＡＰ１、ＡＰ２、ＡＰ３、無線端末装置ＳＴＡ１、ＳＴＡ２、ＳＴＡ３の一部をコンピュータで実現するようにしても良い。その場合、この制御機能を実現するためのプログラムをコンピュータ読み取り可能な記録媒体に記録して、この記録媒体に記録されたプログラムをコンピュータシステムに読み込ませ、実行することによって実現しても良い。なお、ここでいう「コンピュータシステム」とは、無線基地局装置ＡＰ１、ＡＰ２、ＡＰ３、無線端末装置ＳＴＡ１、ＳＴＡ２、ＳＴＡ３に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
また、上述した実施形態における無線基地局装置ＡＰ１、ＡＰ２、ＡＰ３、無線端末装置ＳＴＡ１、ＳＴＡ２、ＳＴＡ３の一部、または全部を、ＬＳＩ（Ｌａｒｇｅ  Ｓｃａｌｅ  Ｉｎｔｅｇｒａｔｉｏｎ）等の集積回路として実現しても良い。無線基地局装置ＡＰ１、ＡＰ２、ＡＰ３、無線端末装置ＳＴＡ１、ＳＴＡ２、ＳＴＡ３の各機能ブロックは個別にプロセッサ化してもよいし、一部、または全部を集積してプロセッサ化しても良い。また、集積回路化の手法はＬＳＩに限らず専用回路、または汎用プロセッサで実現しても良い。また、半導体技術の進歩によりＬＳＩに代替する集積回路化の技術が出現した場合、当該技術による集積回路を用いても良い。
【００７９】
以上、図面を参照してこの発明の一実施形態について詳しく説明してきたが、具体的な構成は上述のものに限られることはなく、この発明の要旨を逸脱しない範囲内において様々な設計変更等をすることが可能である。
【符号の説明】
【００８０】
ＡＰ１、ＡＰ２、ＡＰ３・・・無線基地局装置、ａ１、ａ２、ａ３・・・無線制御装置、ａ１１・・・送受信部（送信部、通信部）、ａ１０１・・・ＳＴＡ管理部、ａ１０２、ａ２０２、ａ３０２・・・制御部、ａ１０３・・・Ｓｔａｔｅフレーム管理部、ａ１０４・・・送受信制御部、ａ１０５・・・ビーコン送信制御部、ａ１０７・・・バッファ監視部、ａ１０８・・・送信バッファ、ＳＴＡ１１、ＳＴＡ１２、ＳＴＡ１、ＳＴＡ２１、ＳＴＡ２２、ＳＴＡ２、ＳＴＡ３１、ＳＴＡ３２、ＳＴＡ３・・・無線端末装置、ｂ１・・・線制御装置、ｂ１１・・・無及び送受信部、ｂ１０１・・・制御部、ｂ１０２・・・メモリ、ｂ１０３・・・送受信制御部、ｂ１０４・・・バッファ監視部、ｂ１０５・・・送信バッファ
【図１】
2013026965.tif 000003
【図２】
2013026965.tif 000004
【図３】
2013026965.tif 000005
【図４】
2013026965.tif 000006
【図５】
2013026965.tif 000007
【図６】
2013026965.tif 000008
【図７】
2013026965.tif 000009
【図８】
2013026965.tif 000010
【図９】
2013026965.tif 000011
【図１０】
2013026965.tif 000012
【図１１】
2013026965.tif 000013
【図１２】
2013026965.tif 000014
【図１３】
2013026965.tif 000015
【図１４】
2013026965.tif 000016
【図１５】
2013026965.tif 000017
【図１６】
2013026965.tif 000018
【図１７】
2013026965.tif 000019
【図１８】
2013026965.tif 000020